(57)【要約】      （修正有）【解決手段】石膏ボ−ド９０１を、下地材に、ビス等により、一定間隔を置いて複数打込みして取付する際に、この一定間隔を置いた打込み位置を石膏ボ−ド９０１に標記することができる装置１であって、回転盤１０２の周囲に一定間隔を置いて棒状の突設部１０３を有してなり、回転盤１０２を手動で石膏ボ−ド９０１の上で回転させることにより回転盤１０２の周囲の棒状の突設部１０３により一定間隔を置いた打込み位置を石膏ボ−ド９０１に標記することができる。【効果】位置の全体標記に掛かる時間や当該打込みに要する時間を大幅に短縮することができる。【選択図】図１
0003139439.tif 000002
【実用新案登録請求の範囲】
【請求項１】
石膏ボ−ド等のボ−ド又はそれに類した物を、下地材等の取付対象物に、ビス、ネジ、ステ−プルタッカ−、釘、アンカ−等の取付具を一定間隔を置いて複数打込みして取付する際に、当該一定間隔を置いた打込み位置を前記ボ−ド又はそれに類した物に標記することができるように、回転盤の周囲に一定間隔を置いて棒状の突設部を有してなり、当該回転盤を手動で石膏ボ−ド等のボ−ド又はそれに類した物の上で回転させることにより当該回転盤の周囲の棒状の突設部により前記一定間隔を置いた打込み位置を前記ボ−ド又はそれに類した物に標記することができるように構成されてなることを特徴とする石膏ボ−ド等におけるビス等の一定間隔の打込み位置標記装置。
【請求項２】
石膏ボ−ド等におけるビス等の一定間隔の打込み位置標記装置が、回転盤による回転の径を調節できるようにアジャスト部を備えてなり、当該アジャスト部を操作することにより標記間隔を調節できるようになっていることを特徴とする、請求項１に記載の石膏ボ−ド等におけるビス等の一定間隔の打込み位置標記装置。
【請求項３】
石膏ボ−ド等におけるビス等の一定間隔の打込み位置標記装置が、回転盤の回転による標記の際に当該装置が石膏ボ−ド等のボ−ド又はそれに類した物から動かないように固定部を備えてることを特徴とする、請求項１又は２に記載の石膏ボ−ド等におけるビス等の一定間隔の打込み位置標記装置。
【請求項４】
固定部が回転できるようになっていることを特徴とする、請求項３に記載の石膏ボ−ド等におけるビス等の一定間隔の打込み位置標記装置。
【考案の詳細な説明】
【技術分野】
【０００１】
本考案は、石膏ボ−ド等におけるビス等の一定間隔の打込み位置標記装置に関し、特に、石膏ボ−ドにビスやネジ等を一定間隔で打込みして、当該石膏ボ−ドを下地材に取付ける際に、当該石膏ボ−ドの表面に当該打込み位置をいちいち物差しなどを使用して印す（標記する）必要のない石膏ボ−ド等におけるビス等の一定間隔の打込み位置標記装置に関するものである。
【背景技術】
【０００２】
建築物の内装等において、例えば、図９に示すように、下地材９００に、石膏ボ−ドよりなる不燃性板材９０１を、ビス、締付けネジ、ネジ釘９０２などの締付け部材（結合部材）により取付固着させることがある。その場合、空気圧式ネジ（ビス）打込み機などを使用して、石膏ボ−ドよりなる不燃性板材９０１に、ビス、締付けネジ、ネジ釘９０２などの締付け部材（結合部材）を打込みして取付固着させるが、当該打込みは、特に、耐震上、図示のように、石膏ボ−ドよりなる不燃性板材９０１の四辺の全てに要求される場合があり、又、線接着であって一定間隔を置いて当該間隔が不揃いではなく均一になされるようにする必要がある。当該間隔が不揃いであったりすると、ビス、締付けネジ、ネジ釘９０２などの締付け部材（結合部材）の打込みの深度が良くても、石膏ボ−ドよりなる不燃性板材９０１と下地材９００との間の取付固着が充分行われていないことになり、耐震性にも影響することになる。
更には、空気圧式ネジ（ビス）打込み機などを使用してその打込みをする前の段階として、当該打込み位置を石膏ボ−ドよりなる不燃性板材９０１の表面に記す必要があり、それも迅速に記す必要がある。
しかるに、従来、こうした打込み位置を石膏ボ−ドよりなる不燃性板材９０１に印す（標記）のに、物差しを石膏ボ−ドよりなる不燃性板材９０１に当接して、例えば７ｍｍなら７ｍｍの位置間隔を視認してそこにいちいち鉛筆などで印を付けて、当該打ち込みを行っていた。
そうすると、標記の数は多数に渡るので、鉛筆などによる多数の印付けに時間が掛かり過ぎ、その結果、当該位置の全体標記に掛かる時間や当該打ち込みに要する時間が大幅に増え過ぎ、又、当該位置の標記が不揃いになり易く、均一性を確保できないので、耐震性にも問題を生じることになっていた。
【考案の開示】
【考案が解決しようとする課題】
【０００３】
本考案は、上記従来技術の有する欠点を解消した新規な技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）石膏ボ−ド等のボ−ド又はそれに類した物を、下地材等の取付対象物に、ビス、ネジ、ステ−プルタッカ−、釘、アンカ−等の取付具を一定間隔を置いて複数打込みして取付する際に、当該一定間隔を置いた打込み位置を前記ボ−ド又はそれに類した物に標記することができるように、回転盤の周囲に一定間隔を置いて棒状の突設部を有してなり、当該回転盤を手動で石膏ボ−ド等のボ−ド又はそれに類した物の上で回転させることにより当該回転盤の周囲の棒状の突設部により前記一定間隔を置いた打込み位置を前記ボ−ド又はそれに類した物に標記することができるように構成されてなることを特徴とする石膏ボ−ド等におけるビス等の一定間隔の打込み位置標記装置。
（請求項２）石膏ボ−ド等におけるビス等の一定間隔の打込み位置標記装置が、回転盤による回転の径を調節できるようにアジャスト部を備えてなり、当該アジャスト部を操作することにより標記間隔を調節できるようになっていることを特徴とする、請求項１に記載の石膏ボ−ド等におけるビス等の一定間隔の打込み位置標記装置。
（請求項３）石膏ボ−ド等におけるビス等の一定間隔の打込み位置標記装置が、回転盤の回転による標記の際に当該装置が石膏ボ−ド等のボ−ド又はそれに類した物から動かないように固定部を備えてなることを特徴とする、請求項１又は２に記載の石膏ボ−ド等におけるビス等の一定間隔の打込み位置標記装置。
（請求項４）固定部が回転できるようになっていることを特徴とする、請求項３に記載の石膏ボ−ド等におけるビス等の一定間隔の打込み位置標記装置。
【考案の効果】
【０００５】
本考案の石膏ボ−ド等におけるビス等の一定間隔の打込み位置標記装置は、回転盤の周囲に一定間隔を置いて棒状の突設部を有してなるので、当該回転盤を手動で石膏ボ−ド等のボ−ド又はそれに類した物の上で回転させると、当該回転盤の周囲の棒状の突設部により前記一定間隔を置いた打込み位置を前記ボ−ド又はそれに類した物に標記することができる。従って、従来例のように、いちいち物差しを石膏ボ−ド等に当接して、必要とする間隔をその都度視認して、そこにいちいち鉛筆などで印を付ける必要がないので、当該位置の全体標記に掛かる時間や当該打ち込みに要する時間を大幅に短縮することができる。
又、本考案の石膏ボ−ド等におけるビス等の一定間隔の打込み位置標記装置では、回転盤による回転の径を調節できるようにアジャスト部を備え、当該アジャスト部を操作することにより、標記間隔を調節できるようになっているので、異なった間隔で当該石膏ボ−ド等の表面上に標記を印して行きたい場合にも、臨機応変に、当該異なった間隔の標記を石膏ボ−ド等に印して行くことができる。
更に、本考案の石膏ボ−ド等におけるビス等の一定間隔の打込み位置標記装置では、回転盤の回転による標記の際に当該装置が石膏ボ−ド等のボ−ド又はそれに類した物から動かないように固定部を備えてなるので、当該固定部を石膏ボ−ド等の端部に当接することにより、より一層安定して間隔の揃った等間隔の標記を印して行くことができる。
更に又、本考案の石膏ボ−ド等におけるビス等の一定間隔の打込み位置標記装置における上記固定部は、回転させることができるようになっており、当該固定部を例えば９０°回転させ、当該装置における固定部を横向きにすると、石膏ボ−ド等のより内側に標記を印して行くことができる。
【考案を実施するための最良の形態】
【０００６】
次に、本考案の実施例を図面に基づいて説明する。
【実施例】
【０００７】
図２に示すように、本考案の石膏ボ−ド等におけるビス等の一定間隔の打込み位置標記装置１は、把手部１００とアジャスト部１０１と回転盤１０２と棒状の突設部１０３と固定部１０４とを有してなる。
当該回転盤１０２の周囲には、図１にも示すように、棒状の突設部１０３が突設されている。当該棒状の突設部１０３は、例えば、針やネジ状の先端部が細くなった物により構成されている。
当該棒状の突設部１０３は、図１及び図４などに図示のように、当該実施例では、当該回転盤１０２の周囲に５個突設されている例を示してある。
当該回転盤１０２としては、当該実施例では、その外周が円盤状に構成されている例を示してある。
当該棒状の突設部１０３は、図示のように、当該実施例では、当該３６０°の回転盤１０２の周囲に等間隔の７２°の角度で５個突設されている例を示してある。
当該実施例では、当該回転盤１０２は、等間隔の７２°の角度で５分割され構成されている例を示してある。
図４に示すように、当該実施例では、当該５分割された各回転盤１０２０の中央に７２°の角度の半分の３６°の角度で当該棒状の突設部１０３が突設されている例を示してある。
【０００８】
図２に示すように、石膏ボ−ド９０１の端部に、当該石膏ボ−ド等におけるビス等の一定間隔の打込み位置標記装置１の前記固定部１０４の下部を当接し、把手部１００を手に把持して、図１に示すように、当該回転盤１０２を石膏ボ−ド９０１の表面上を回転させると、当該回転盤１０２に設けられた当該棒状の突設部１０３が当該石膏ボ−ド９０１の表面上に標記を印して行く。
当該棒状の突設部１０３は、上記のように、回転盤１０２に等間隔で突設されているので、当該棒状の突設部１０３により、当該石膏ボ−ド９０１の表面上に、等間隔で一定した間隔で標記を印して行くことができる。
当該間隔Ｘｍｍは、例えば、７ｍｍと設定できる。その場合、７ｍｍの等間隔で当該石膏ボ−ド９０１の表面上に棒状の突設部１０３の先端部による通常は凹の標記を印して行くことができる。
当該標記は、図９に示すような態様で石膏ボ−ド９０１の四辺の表面上に付設して行くことができ、当該標記に従って、空気圧式ネジ（ビス）打込み機などを使用して、石膏ボ−ド９０１に、ビス、締付けネジ、ネジ釘９０２などの締付け部材（結合部材）を等間隔に打込みすることができる。
本考案の石膏ボ−ド等におけるビス等の一定間隔の打込み位置標記装置１では、その把手部１００を手で把持して、固定部１０４で動かないように固定して、石膏ボ−ド９０１の上で回転盤１０２を回転させれば、棒状の突設部１０３が自ずと標記を印して行き、しかも、等間隔で均一の一定した間隔で標記を印して行くことができるので極めて実用的で、物差しを石膏ボ−ド９０１に当接して必要とする間隔をその都度視認してそこにいちいち鉛筆などで印を付ける必要がなく、当該打ち込みに要する時間をも大幅に短縮することができる。
【０００９】
本考案の石膏ボ−ド等におけるビス等の一定間隔の打込み位置標記装置１では、図５及び図１にも示すにように、回転盤１０２の半径を例えば大きくして、それに伴い棒状の突設部１０３による石膏ボ−ド９０１への標記間隔を例えば大きくすることができる。
当該操作は、アジャスト部１０１におけるアジャストネジ１０１０を緩めて、当該回転盤１０２の外周をより突出させればよく、それに伴い棒状の突設部１０３の位置も更に外周に突出させ、次いで、アジャストネジ１０１０を固定し、回転盤１０２を石膏ボ−ド９０１の表面上で回転させると、前記と同様に、当該回転盤１０２に設けられた当該棒状の突設部１０３が当該石膏ボ−ド９０１の表面上に標記を印して行き、例えば、前記Ｘｍｍよりも間隔が増したＹｍｍ間隔で当該石膏ボ−ド９０１の表面上に標記を印して行くことができる。例えば、前記間隔Ｘｍｍの７ｍｍに対して、Ｙｍｍの８ｍｍの等間隔で当該石膏ボ−ド９０１の表面上に棒状の突設部１０３の先端部による通常は凹の標記を印して行くことができる。
このように、本考案の石膏ボ−ド等におけるビス等の一定間隔の打込み位置標記装置１は、異なった間隔で当該石膏ボ−ド９０１の表面上に標記を印して行きたい場合にも、臨機応変に、当該標記を印して行くことができる。
【００１０】
本考案の石膏ボ−ド等におけるビス等の一定間隔の打込み位置標記装置１では、図６にも示すにように、固定部１０４の上端部には、開口１０４０が設けられ、当該開口１０４０を利用して、当該装置１を、紐２などで壁３などに吊り下げしておくことができる。
当該装置１を、こうして紐２などで壁３などに吊り下げしておけば、何時でも、標記を実施したいときに、装置を探す手間が省略できる。
【００１１】
図７に示すように、本考案の石膏ボ−ド等におけるビス等の一定間隔の打込み位置標記装置１における固定部１０４は、例えば９０°回転させることができる。
当該９０°回転させ当該装置１における固定部１０４を横向きにすると、図８に示すように、石膏ボ−ド９０１の前記実施例よりも内側において、回転盤１０２を、石膏ボ−ド９０１上において回転させると、当該回転盤１０２に等間隔で突設された当該棒状の突設部１０３により、当該石膏ボ−ド９０１の表面内側に、等間隔で一定した間隔で標記を印して行くことができる。
固定部１０４における固定ネジ１０４１を中心として、例えば、９０°回転させることができる。
【００１２】
固定部１０４の中央部には、凹み１０４２が設けられており、図２に示すように、把手部１００を手で把持し、図８に示すように、当該凹み１０４２を指部で抑え、前記実施例と同様に、固定部１０４が動かないように固定して、石膏ボ−ド９０１の上で回転盤１０２を回転させると、棒状の突設部１０３により石膏ボ−ド９０１に標記を印すことができる。
【００１３】
本考案は上記実施例に限定されず、適宜変更が可能である。
【産業上の利用可能性】
【００１４】
本考案は、石膏ボ−ドの他に、各種不燃板や木質のボ−ド又は合板、ツ−バイフォ−の枠組を構成する構造耐力要素（パネル）などのそれに類した物にも適用される。
【図面の簡単な説明】
【００１５】
【図１】本考案の石膏ボ−ド等におけるビス等の一定間隔の打込み位置標記装置の使用例を示す説明図である。
【図２】本考案の実施例を示す石膏ボ−ド等におけるビス等の一定間隔の打込み位置標記装置の構成図である。
【図３】本考案の実施例を示す石膏ボ−ド等におけるビス等の一定間隔の打込み位置標記装置の断面図である。
【図４】本考案の実施例を示す石膏ボ−ド等におけるビス等の一定間隔の打込み位置標記装置の側面図である。
【図５】本考案の実施例を示す石膏ボ−ド等におけるビス等の一定間隔の打込み位置標記装置の側面図である。
【図６】本考案の実施例を示す石膏ボ−ド等におけるビス等の一定間隔の打込み位置標記装置の側面図である。
【図７】本考案の他の実施例を示す石膏ボ−ド等におけるビス等の一定間隔の打込み位置標記装置の側面図である。
【図８】本考案の他の実施例を示す石膏ボ−ド等におけるビス等の一定間隔の打込み位置標記装置の側面図である。
【図９】石膏ボ−ドの施工例を示す構成図である。
【符号の説明】
【００１６】
１    石膏ボ−ド等におけるビス等の一定間隔の打込み位置標記装置
１００    把手部
１０１    アジャスト部
１０２    固定部
１０３    棒状の突設部
１０４    固定部
【図１】
0003139439.tif 000003
【図２】
0003139439.tif 000004
【図３】
0003139439.tif 000005
【図４】
0003139439.tif 000006
【図５】
0003139439.tif 000007
【図６】
0003139439.tif 000008
【図７】
0003139439.tif 000009
【図８】
0003139439.tif 000010
【図９】
0003139439.tif 000011